(57)【要約】【課題】ランプを保持する保持側ソケットの構成部品数の削減と、組立工数の削除により、コストダウンを図る。【解決手段】第２ソケット４００は、取付板１１４の取付面１１４ａから裏面１１４ｂへ貫通する取付孔１１５に取付面１１４ａから挿入されるガイド部４４５と、ガイド部４４５の先端に設けられ、ガイド部４４５が取付孔１１５に挿入されることにより取付孔１１５を通り抜け、ガイド部４４５の裏面１１４ｂから取付面１１４ａの方向への移動を、取付孔１１５の裏面１１４ｂの周縁に引っ掛かることで止める爪部４４６とを有する本体４４０と、本体４４０の内部に配置されて保持ピン６２４を保持するピン保持部５４１と、ピン保持部５４１と一体に形成される弾性部５４２とを有する一対の保持バネ５４０−１、５４０−２とを備える。【選択図】図８
2014143081.tif 000002
【特許請求の範囲】
【請求項１】
一方の端部には給電を受ける給電ピンを有する給電側口金を備え、他方の端部には給電されることなく保持のみに使用される保持ピンを有する保持側口金を備える片口金通電方式の直管ランプの前記保持側口金の前記保持ピンを保持する保持用ソケットにおいて、
取付板のおもて面から裏面へ貫通する取付孔に前記おもて面から挿入されるガイド部と、前記ガイド部の先端に設けられ、前記ガイド部が前記取付孔に挿入されることにより前記取付孔を通り抜け、前記ガイド部の前記裏面から前記おもて面の方向への移動を、前記裏面の前記取付孔の周縁に引っ掛かることで止める爪部とを有するソケット本体と、
前記ソケット本体の内部に配置されて前記保持ピンを保持するピン保持部と、前記ピン保持部と一体に形成される弾性部とを有する一対の保持バネと
を備え、
前記一対の保持バネの各弾性部は、
前記ガイド部が前記取付孔に挿入されると前記取付板の前記おもて面に当接して弾性変形することにより、前記爪部が前記裏面の前記取付孔の周縁に引っ掛かっている状態で前記ガイド部を前記裏面から前記おもて面の方向へ移動させようとする弾性力が付勢されることを特徴とする保持用ソケット。
【請求項２】
前記一対の保持バネの各弾性部は、
前記爪部が前記裏面の前記取付孔の周縁に引っ掛かっている状態において前記ガイド部が前記おもて面から前記裏面の方向に移動させられると、弾性力を増しながら弾性変形することを特徴とする請求項１記載の保持用ソケット。
【請求項３】
前記一対の保持バネは、
単一部品として一体に形成されたことを特徴とする請求項１または２のいずれかに記載の保持用ソケット。
【請求項４】
前記ソケット本体は、
単一部品として一体に形成されたことを特徴とする請求項１〜３のいずれかに記載の保持用ソケット。
【請求項５】
一方の端部に給電を受ける給電ピンを有する給電側口金を備え、他方の端部に給電されることなく保持のみに使用される保持ピンを有する保持側口金を備える片口金通電方式の直管ランプが装着される照明器具において、
前記給電側口金の前記給電ピンを装着する第１ソケットと、
前記保持側口金の前記保持ピンを装着する第２ソケットと
を備え、
前記第２ソケットとして、請求項１〜４のいずれかに記載の保持用ソケットを備えたことを特徴とする照明器具。
【発明の詳細な説明】
【技術分野】
【０００１】
この発明は、片口金通電方式の直管ランプの保持側口金の保持ピンを保持する保持用ソケット及び保持用ソケットを備えた照明器具に関する。
【背景技術】
【０００２】
従来、直管蛍光灯ランプを使用する照明器具について、直管蛍光灯ランプのランプ長のバラツキに対応するため、ソケット背面にバネ（特許文献１の取付け板バネ３０）を配設し、ランプの全長を吸収できるソケットがある（例えば、特許文献１）。特に、ランプの外郭が樹脂などで構成されたものは熱の影響により膨張したり、収縮したりする。このため、そのランプ長のバラツキを吸収するために、特許文献１のようにソケット背面にバネを配設している。
【先行技術文献】
【特許文献】
【０００３】
【特許文献１】特開平１０−２４７４１５号公報（段落［００１１］〜［００１６］）
【発明の概要】
【発明が解決しようとする課題】
【０００４】
特許文献１のランプを支持する側のソケットでは、ランプを保持する保持ピン（ランプピン４）が取り付けられるピン保持部（一対の接触片２１）を収納するケース部分や、ピン保持部周りが多くの部品で構成されているため、その分部材コストが高くなるとともに、組立て費用も発生するという課題がある。
【０００５】
近年、直管蛍光ランプの代替として省エネなどで有利な直管ＬＥＤランプが多く販売されている。直管ＬＥＤランプの口金には、ＪＩＳ  Ｃ  ７７０９で公知のＧＸ１６ｔ−５口金等が使用されている。ＧＸ１６ｔ−５口金の直管ＬＥＤランプは、ランプ片側で通電方式を採用した片口金通電方式の接続方法をとるものである。片口金通電方式の直管ＬＥＤランプは、一端側に給電のための給電側口金を備え、他端側にランプを保持する保持側口金を備えている。
【０００６】
片口金通電方式の直管ＬＥＤランプの保持側口金を装着するソケットは、保持側口金の保持ピンを保持することが要求される。従来の保持用のソケットでは、ランプを保持する保持ピンが取り付けられるピン保持部を収納するケース部分や、ピン保持部周りが多くの部品で構成されているため、その分部材コストが高くなるとともに、組立て費用も発生するという課題がある。
【０００７】
本発明に係るソケットは、上記のような課題を解決するためになされたものであり、ランプを保持する保持側ソケットの構成部品数を減らすことができ、組立工数も削除し、コストダウンを図ることを目的としている。
【課題を解決するための手段】
【０００８】
この発明の保持用ソケットは、
一方の端部には給電を受ける給電ピンを有する給電側口金を備え、他方の端部には給電されることなく保持のみに使用される保持ピンを有する保持側口金を備える片口金通電方式の直管ランプの前記保持側口金の前記保持ピンを保持する保持用ソケットにおいて、
取付板のおもて面から裏面へ貫通する取付孔に前記おもて面から挿入されるガイド部と、前記ガイド部の先端に設けられ、前記ガイド部が前記取付孔に挿入されることにより前記取付孔を通り抜け、前記ガイド部の前記裏面から前記おもて面の方向への移動を、前記裏面の前記取付孔の周縁に引っ掛かることで止める爪部とを有するソケット本体と、
前記ソケット本体の内部に配置されて前記保持ピンを保持するピン保持部と、前記ピン保持部と一体に形成される弾性部とを有する一対の保持バネと
を備え、
前記一対の保持バネの各弾性部は、
前記ガイド部が前記取付孔に挿入されると前記取付板の前記おもて面に当接して弾性変形することにより、前記爪部が前記取付孔の前記裏面の周縁に引っ掛かっている状態で前記ガイド部を前記裏面から前記おもて面の方向へ移動させようとする弾性力が付勢されることを特徴とする。
【発明の効果】
【０００９】
本発明によれば、保持用ソケットの構成部品数を減らすことができ、また構成部品数の削減によって保持用ソケットの組立工数を削減ができる。よって、構成部品数及び組立工数の削減によりコストダウンを図ることができる。
【図面の簡単な説明】
【００１０】
【図１】実施の形態１に係る照明器具１０００の斜視図。
【図２】図１のＸ方向矢視。
【図３】実施の形態１の直管ＬＥＤランプ６００の内部回路を含んだ構成図。
【図４】実施の形態１の第１ソケット３００の正面斜視図。
【図５】実施の形態１の第１ソケット３００の背面斜視図。
【図６】実施の形態１の第２ソケット４００の正面斜視図。
【図７】実施の形態１の第２ソケット４００の背面斜視図。
【図８】実施の形態１の第２ソケット４００の分解斜視図。
【図９】図８の保持バネ５４０のＹ方向矢視。
【図１０】実施の形態１に係る保持バネ５４０を一体成形により単一部品で構成した状態を示す図。
【図１１】実施の形態１の第２ソケット４００を器具本体１００の取付面１１４ａに取り付ける取り付け方法を示す図（（ａ）は第２ソケット４００の取付面１１４ａへの取付前の状態であり、（ｂ）は取付後の状態）。
【発明を実施するための形態】
【００１１】
実施の形態１．
図１は、本実施の形態１に係る照明器具１０００の斜視図である。図２は、照明器具１０００の図１におけるＸ方向矢視である。なお、後述する図４〜図９にはＸ方向を記載しているが、これは、図１のＸ方向を意味している。図３は、直管ＬＥＤランプ６００の一例を示す図である。図１〜図３を用いて、本実施の形態１に係る照明器具１０００及び直管ＬＥＤランプ６００の全体構成について説明する。
【００１２】
（照明器具１０００の構成）
図１、図２に示すように、照明器具１０００は、器具本体１００と、反射板２００とを備える。照明器具１０００は、直管ＬＥＤランプ６００が取り付けられる。照明器具１０００は、器具本体１００の長手方向の一端側に給電側の第１ソケット３００を備え、他端側に給電せずに直管ＬＥＤランプ６００の端部の保持のみの機能を有する第２ソケット４００を備え、直管ＬＥＤランプ６００を装着することができる。第１ソケット３００，第２ソケット４００は図１、図２に示すように、器具本体１００の取付板１１４の取付面１１４ａ（おもて面）に取り付けられる。照明器具１０００は、器具本体１００に取り付けられる点灯装置（図示せず）を備える。この点灯装置は、第１ソケット３００及び第２ソケット４００に装着された直管ＬＥＤランプ６００を点灯させる。反射板２００は、直管ＬＥＤランプ６００から発せられる光を配光する機能を有する。
【００１３】
（直管ＬＥＤランプ６００の構成）
図３を用いて直管ＬＥＤランプ６００の構成を説明する。図３に示す直管ＬＥＤランプ６００は、片口金通電方式の直管ランプである。給電側である第１口金６２１（給電側口金）は、一対のＬ字型形状の給電ピン６２２を備える。給電ピン６２２は、図３に示すように、外郭６２７の内部にあるＬＥＤ素子６２５と電線６２６で接続されている。ここでのＬＥＤ素子６２５は、直列に接続されている場合を示しているが、並列などに接続されていてもよい。通常は直列、並列を組み合わせたいわゆる直並列で接続して構成している。また、図示しないダイオードブリッジを給電ピン６２２とＬＥＤ素子６２５間に配設することで、給電ピン６２２を無極性に構成してもよい。第１口金６２１は、給電側である第１ソケット３００に取り付けられる。
【００１４】
図３に示すように、直管ＬＥＤランプ６００を保持する側の第２口金６２３（保持側口金）は、Ｔ字型形状の保持ピン６２４を備える。保持ピン６２４は給電されることなく保持のみに使用される。保持ピン６２４の先端部は、楕円形状（長径Ｂ２，短径Ｂ１）の平板状の突出部６２４ａが設けられている。保持ピン６２４は保持側である第２ソケット４００に取り付けられ、直管ＬＥＤランプ６００を保持する。
【００１５】
（第１ソケット３００の構成）
図４は、直管ＬＥＤランプ６００を装着する第１ソケット３００の正面斜視図であり、図５は第１ソケット３００の背面斜視図である。第１ソケット３００は、直管ＬＥＤランプ６００の第１口金６２１を装着できるソケットである。第１ソケット３００は、本体３３１とカバー３３２で形成された略箱体をなす。この略箱体の内部に、第１ソケット３００は、図示しない「一対の導電金具」を備える。この一対の導電金具を介して直管ＬＥＤランプ６００は、点灯装置と接続されている。図４において、第１口金６２１の一対の給電ピン６２２は、Ｘ方向に上下した状態で、第１ソケット３００の本体３３１の外周の一部に設けられた挿入孔３３３に矢印３３５の方向から挿入して、図４のＡ方向あるいはＢ方向に略９０°回転することで、本体３３１内部の面側に設けられた図示しない「一対の導電金具」と電気的に接続し、且つ、第１ソケット３００に保持される。
【００１６】
（第２ソケット４００の構成）
図６、図７は、直管ＬＥＤランプ６００を装着する第２ソケット４００の斜視図である。図６は第２ソケット４００の正面斜視図であり、図７は第２ソケット４００の背面斜視図である。図８は、第２ソケット４００の分解斜視図である。また図９は図８の保持バネ５４０のＹ方向矢視である。
【００１７】
図６〜図９を用いて、本実施の形態１に係る第２ソケット４００の全体構成について説明する。
【００１８】
第２ソケット４００は、図３の直管ＬＥＤランプ６００を装着するソケットであり、直管ＬＥＤランプ６００を保持するための保持ピン６２４を保持する機能を有する。図８に示すように、第２ソケット４００は、本体４４０（ソケット本体）と、保持バネ５４０とを備える。保持バネ５４０は、保持バネ５４０−１と保持バネ５４０−２との一対で構成される。また保持バネ５４０−１は、ピン保持部５４１と弾性部５４２とを備え、ピン保持部５４１と弾性部５４２とは一体に形成されている。保持バネ５４０−２も同様である。
【００１９】
以下、説明を簡略するために、直管ＬＥＤランプ６００の第２口金６２３と接する側を正面、反対側を背面、本体４４０の正面から背面側へ立設する面を側面と定義する。
【００２０】
（本体４００）
第２ソケット４００の本体４４０は、熱可塑性樹脂の絶縁材、例えば、ポリカーボネイドやポリブチレンテレフタレートなどで一体に形成される。本体４４０は、図６に示すように、本体４４０は、正面をなす正面部４５１と、正面部４５１の周囲の側面をなす側面部４５２とを備えており、正面部４５１から反Ｘ方向（図６）の側面部４５２にかけて略Ｌ字状に切り欠かれた挿入孔４４２が形成されている。挿入孔４４２には直管ＬＥＤランプ２０の保持ピン６２４が挿入される。また、図７に示すように、本体４４０背面には、器具本体１００の取付板１１４の取付面１１４ａ（図１、図２）の方向に開口した開口部４４３を備える。図８に示すように、本体４４０の内部には、正面部４５１の開口部４４３側の面から開口部４４３に向かって立設する一対の柱状突起部４６１（図８）が形成されている。また、一対の柱状突起部４６１のＸ方向には、一対の壁状突起部４６２が形成されている。一対の壁状突起部４６２には保持バネ５４０のピン保持部５４１が収納される凹形状部４６２ａが形成されている。また、一対の壁状突起部４６２のＸ方向には、保持バネ５４０の第１取付片５４３（後述する）を収納する第１取付片収納部４６３が形成されている。第１取付片収納部４６３には一対の保持バネ５４０のそれぞれの第１取付片５４３を収納する一対のスリット４６３ａが形成されている。
【００２１】
（保持バネ５４０）
本体４４０の開口部４４３の内部には、一対の保持バネ５４０を備えるが、図８、図９等を参照して保持バネ５４０の構成を説明する。保持バネ５４０はバネ性（弾力性）が有り、錆難い金属、例えば、ステンレスなどで成形される板バネで構成される。保持バネ５４０は、保持ピン６２４を保持するピン保持部５４１と、ピン保持部５４１の端部から、取付面１１４ａに向かって広がるように形成される板バネの付勢部を有した弾性部５４２を備える。図９に示すようにピン保持部５４１のＸ方向の端には第１取付片５４３が形成されている。またピン保持部５４１の反Ｘ方向の端には第２取付片５４４が形成されている。
【００２２】
（第２ソケット４００への保持バネ５４０の取付方法）
図７〜図９を参照して、第２ソケット４００への保持バネ５４０の取り付け方法を説明する。図８において、一対の保持バネ５４０−１、５４０−２のピン保持部５４１を本体４４０の内部（反Ｙ方向）へ収納する。このとき、図７に示すように保持バネ５４０−１の第２取付片５４４は左側の一方の柱状突起部４６１と、左側の壁状突起部４６２との間に挟まれ、第１取付片５４３は第１取付片収納部４６３の左側のスリット４６３ａに収納される。なおスリット４６３ａのＸ方向の端部は底部４６３ｂ（図８）が形成されており、この底部４６３ｂが第１取付片５４３の第１取付片端面５４３ａ（図９）を受ける構成である。また弾性部５４２の先端には貫通した孔の足貫通孔５４２ａを備えるが、ピン保持部５４１が本体４４０の内部に収納された状態において、本体４４０のガイド部４４５の先端に形成された爪部４４が保持バネ５４０の足貫通孔５４２ａを通過して足貫通孔５４２ａの周縁と嵌合する（図７）。
【００２３】
なお本実施の形態１ではピン保持部５４１と弾性部５４２とが一体に形成された一対の保持バネ５４０を例示したが、図１０に示すように、保持バネ５４０を一体成形により一つの部品になるように構成してもよい。図１０は保持バネ５４０−１と保持バネ５４０−２とが一体に単一部品として形成された保持バネ５４０を示す。（ａ）は保持バネ５４０の斜視図であり、（ｂ）は（ａ）の反Ｚ方向矢視であり、（ｃ）は（ａ）のＹ方向矢視であり、（ｄ）は（ａ）のＺ方向矢視であり、（ｅ）は（ａ）の反Ｘ方向矢視であり、（ｆ）は（ａ）の反Ｙ方向矢視である。図１０（ａ）は、図９に対応する斜視図であり、図９の保持バネ５４０−１，５４０−２を連結部によって連結して、保持バネ５４０−１と保持バネ５４０−２とを一体にして単一部品とした構成である。図１０の保持バネ５４０によれば、一対の場合よりも部品数をさらに減らすことができるとともに、組み立て工数をさらに減らすことができる。
【００２４】
（保持ピン６２４の第２ソケット４００への取付方法）
次に保持ピン６２４の第２ソケット４００への取付方法を説明する。図６の挿入孔４２は保持ピン６２４の先端面の楕円形状と略同一である。具体的には図６に示す挿入孔４４２の幅Ｂ３は、図３に示す突出部６２４ａの楕円形状の短径Ｂ１よりもやや大きく、長径Ｂ２よりも狭い。つまり保持ピン６２４は挿入孔４４２への挿入時に、突出部６２４ａの先端面の楕円形状（図３）を挿入孔４４２の楕円形状に合わせて挿入しなければ挿入できないように形成される。保持ピン６２４の第２ソケット４００へ取付は、図６において、突出部６２４ａの楕円形状の長径Ｂ２方向が略Ｘ方向となるように挿入孔４４２から矢印４４４の方向へ挿入して、給電ピン６２２の取り付けにおける９０度回転により、図６のＡ方向あるいはＢ方向（図０４のＡ，Ｂ方向に対応）に回転することで、突出部６２４ａの楕円形状が回転して楕円形状の長径Ｂ２の方向がＸ方向と略直交するようになる。このとき、図９に示すピン保持部５４１間の取付幅Ｂ４の寸法（保持バネ５４０の本体４４０への組付後）は長径Ｂ２の寸法よりも若干狭く形成されているので、一対の保持バネ５４０−１，５４０−２のピン保持部５４１間で保持ピン６２４の突出部６２４ａを保持することができる。また、挿入孔４４２は、一対の給電ピン６２２を挿入できない大きさに形成される。これにより、第２ソケット４００の挿入孔４２に一対の給電ピン６２２を誤挿入することができなくなり、安全性が向上する。一方、第１ソケット３００の挿入孔にも保持ピン６２４を誤挿入することができなくなり、安全性が向上する。
【００２５】
図６〜図８に示すように、本体４４０の側面には第２ソケット４００を器具本体１００の取付面１１４ａに取り付けるため、側面から背面側に突出した一対のガイド部４４５を備える。ガイド部４４５は、側面から背面側に突き出した棒状のガイド部であって、取付面１１４ａに形成される取付孔１１５（図１０参照）に挿入され、第２ソケット４００（本体４４０）を前後方向にガイドする。ガイド部４４５の先端には、ガイド部４４５が取付孔１１５から抜けないように、取付板１１４の裏面１１４ｂ側（図１０）の取付孔１１５の周縁に引っ掛けられる爪部４４６を備える。
【００２６】
図１１は、実施の形態１に係る第２ソケット４００を器具本体１００の取付板１１４の取付面１１４ａに取り付ける取り付け方法について示す図であり、（ａ）は第２ソケット４００を取付面１１４ａに取り付ける前の状態を示す図であり、（ｂ）は第２ソケット４００を取付面１１４ａに取り付けた状態を示す図である。
【００２７】
図１１（ａ）に示すように、器具本体１００の取付板１１４には、一対のガイド部４４５のそれぞれに対応する位置に、取付板１１４の取付面１１４ａから裏面１１４ｂへ貫通する取付孔１１５が形成される。第２ソケット４００を取り付ける作業者は、ガイド部４４５を指等でつまんで、ガイド部４４５に対して内側に力を加えながら、ガイド部４４５を取付孔１１５に挿入する。
【００２８】
図１１（ｂ）に示すように、作業者が、ガイド部４４５の先端部にある爪部４４６を器具本体１００の取付孔１１５に貫通させて指を離すと、ガイド部４４５は外側に広がりもとの位置（形状）に戻ろうとした力がかかった状態で固定される。これにより、取付孔１１５の裏面１１４ｂ側の周縁に爪部４４６がしっかりと引掛かかり、ガイド部４４５が取付孔１１５から抜けないようになる。
【００２９】
また、図１１（ｂ）に示すように、第２ソケット４００の本体４４０には、保持バネ５４０により本体４４０を取付面１１４ａから離そうとする力が与えられるとともに、爪部４４６が取付孔１１５の周縁に引っ掛けられることにより所定の位置（図１１（ｂ）に示す位置）に位置決めされる。つまり爪部４４６は、ガイド部４４５が取付孔１１５に挿入されることにより取付孔１１５を通り抜け、ガイド部４４５の裏面１１４ｂから取付面１１４ａの方向への移動を、裏面１１４ｂ側の取付孔１１５の周縁に引っ掛かることで止める機能を有する。この場合、一対の保持バネ５４０の各弾性部５４２は、ガイド部５４５が取付孔１１５に挿入されると取付板１１４の取付面１１４ａに当接して弾性変形することにより、爪部４４６が裏面１１４ｂの取付孔１１５の周縁に引っ掛かっている状態でガイド部４４５を裏面１１４ｂから取付面１１４ａの方向へ移動させようとする弾性力が付勢される。これによって第２ソケット４００（本体４４０）は前記所定の位置に位置決めされる。
【００３０】
図１１（ｂ）に示すように、第２ソケット４００（本体４４０）が前記所定の位置に位置決めされた状態で、弾性部５４２は取付面１１４ａとの間でΔＢ程度のさらに弾性変形の余地がある。つまり弾性部５４２は、爪部４４６が裏面１１４ｂの取付孔１１５の周縁に引っ掛かっている状態においてガイド部４４５が取付面１１４ａから裏面１１４ｂの方向に移動させられると、弾性力を増しながら弾性変形して、ガイド部４４５の移動をΔＢ程度まで吸収することができる。このΔＢまでの量は、直管ＬＥＤランプ６００のランプ長のバラツキの吸収量に相当する。
【００３１】
この実施の形態１によれば、第２ソケット４００の本体４４０背面側に従来のようなカバーを設けないで構成することができるので、従来のカバーを設けている場合よりも、その分の部品数、工程数を減らして、低コスト化を実現することができる。
また、従来は保持ピンを保持するピン保持部と、このピン保持部を収納したソケットを器具本体に取り付けるための保持バネとを別々に構成していたが、この実施の形態１によれば、保持ピン６２４を保持するピン保持部５４１と、このピン保持部５４１を収納する第２ソケット４００を器具本体１００に取り付けるための弾性部５４２とを一体に成形し形成した保持バネ５４０により構成したので、従来の別々に構成する場合よりも、その分の部品数、工程数を減らして、低コスト化なソケットを提供することができる。
また、本実施の形態の第２ソケット４００を照明器具に使用することで、低コスト化な照明器具を提供できる。
【符号の説明】
【００３２】
１０００  照明器具、１００  器具本体、１１４ａ  取付面、１１４ｂ  裏面、１１４  取付板、１１４ａ  取付面、１１４ｂ  裏面、１１５  取付孔、２００  反射板、３００  第１ソケット、３３１  本体、３３２  カバー、３３３  挿入孔、４００  第２ソケット、４４０  本体、４４２  挿入孔、４４３  開口部、４４５  ガイド部、４４６  爪部、４５１  正面部、４５２  側面部、４６１  柱状突起部、４６２  壁状突起部、４６３  第１取付片収納部、４６３ａ  スリット、４６３ｂ  底部、５４０−１，５４０−２  保持バネ、５４１  ピン保持部、５４２  弾性部、５４２ａ  足貫通孔、５４３  第１取付片、５４３ａ  第１取付片端面、５４４  第２取付片、６００  直管ＬＥＤランプ、６２１  第１口金、６２２  給電ピン、６２３  第２口金、６２４  保持ピン、６２５  ＬＥＤ素子、６２６  電線、６２７  外郭。
【図１】
2014143081.tif 000003
【図２】
2014143081.tif 000004
【図３】
2014143081.tif 000005
【図４】
2014143081.tif 000006
【図５】
2014143081.tif 000007
【図６】
2014143081.tif 000008
【図７】
2014143081.tif 000009
【図８】
2014143081.tif 000010
【図９】
2014143081.tif 000011
【図１０】
2014143081.tif 000012
【図１１】
2014143081.tif 000013